(57)【要約】【課題】  無線ネットワークごとに定められた端末情報を無線ネットワーク間で共有し、さらに無線ネットワークをまたがる無線端末間の通信を効率よく行う。【解決手段】  複数の無線ネットワークの各無線端末のアドレスを含むネットワーク情報を基幹ネットワークの管理装置に登録し、その情報を各無線ネットワークの接続無線局に通知し、さらに接続無線局から非接続無線局にブロードキャストし、管理テーブルで管理することにより、無線ネットワーク全体で管理装置の情報を共有する。【選択図】        図１
2007180825.tif 000002
【特許請求の範囲】
【請求項１】
基幹ネットワークと、基幹ネットワークに接続される複数の無線ネットワークからなり、無線ネットワークは複数の無線端末が無線通信により接続され、かつ所定の無線端末がアクセスポイントを介して基幹ネットワークと接続される構成であり、アクセスポイントおよび無線ネットワーク内の他の無線端末と接続可能な無線端末を「接続無線局」とし、無線ネットワーク内の他の無線端末とのみ接続可能な無線端末を「非接続無線局」とし、前記基幹ネットワークにシステムを管理する管理装置が接続された無線通信システムにおける無線パケット通信方法において、
前記非接続無線局には所属する無線ネットワーク内通信用の第１のアドレスが設定され、前記接続無線局には所属する無線ネットワーク内通信用の第１のアドレスおよび無線ネットワーク外通信用の第２のアドレスが設定され、
前記管理装置は、前記各無線ネットワークを構成する前記接続無線局および前記非接続無線局の各アドレスを含むネットワーク情報を管理テーブルで管理し、前記各無線ネットワークの前記接続無線局に対して、当該管理テーブルから他の無線ネットワークのネットワーク情報を通知し、
前記各無線ネットワークの前記接続無線局は、前記管理装置から通知される他の無線ネットワークのネットワーク情報を取得して前記非接続無線局に対して通知するとともに、前記接続無線局および前記非接続無線局は当該ネットワーク情報を管理テーブルで管理し、
前記無線端末が他の無線ネットワークの無線端末に送信するパケットを生成する際に前記管理テーブルを参照し、宛先無線ネットワークの接続無線局の前記第２のアドレスを宛先アドレスとして設定し、宛先無線端末の前記第１のアドレスをデータ本体にカプセル化し、自無線ネットワークの接続無線局を介して送信し、
前記パケットを受信した自無線ネットワークの接続無線局または自らがパケットを送信する接続無線局は、宛先無線ネットワークの接続無線局の前記第２のアドレスを宛先アドレスとし、宛先無線端末の前記第１のアドレスおよび送信元無線端末の前記第１のアドレスをデータ本体にカプセル化し、宛先無線ネットワークの接続無線局へ転送し、
前記宛先無線ネットワークの接続無線局は、受信したパケットのデータ本体にカプセル化された宛先無線端末の前記第１のアドレスを宛先アドレスとし、送信元無線端末の前記第１のアドレスをデータ本体にカプセル化し、宛先無線端末へ転送する
ことを特徴とする無線パケット通信方法。
【請求項２】
請求項１に記載の無線パケット通信方法において、
前記各無線端末は、前記第１のアドレスを自無線ネットワーク内にブロードキャストし、
前記各無線端末の第１のアドレスを受信した接続無線局は、自無線ネットワークを構成する前記接続無線局の第１のアドレスおよび第２のアドレスと、前記非接続無線局の第１のアドレスを含むネットワーク情報を前記管理装置に送信し、
前記管理装置は、前記各無線ネットワークの前記接続無線局からそれぞれ送信されたネットワーク情報に基づいて前記管理テーブルを作成する
ことを特徴とする無線パケット通信方法。
【請求項３】
基幹ネットワークと、基幹ネットワークに接続される複数の無線ネットワークからなり、無線ネットワークは複数の無線端末が無線通信により接続され、かつ所定の無線端末がアクセスポイントを介して基幹ネットワークと接続される構成であり、アクセスポイントおよび無線ネットワーク内の他の無線端末と接続可能な無線端末を「接続無線局」とし、無線ネットワーク内の他の無線端末とのみ接続可能な無線端末を「非接続無線局」とし、前記基幹ネットワークにシステムを管理する管理装置が接続された無線パケット通信システムにおいて、
前記非接続無線局には所属する無線ネットワーク内通信用の第１のアドレスが設定され、前記接続無線局には所属する無線ネットワーク内通信用の第１のアドレスおよび無線ネットワーク外通信用の第２のアドレスが設定され、
前記管理装置は、前記各無線ネットワークを構成する前記接続無線局および前記非接続無線局の各アドレスを含むネットワーク情報を管理する管理テーブルを備え、前記各無線ネットワークの前記接続無線局に対して、当該管理テーブルから他の無線ネットワークのネットワーク情報を通知する手段を備え、
前記各無線ネットワークの前記接続無線局は、前記管理装置から通知される他の無線ネットワークのネットワーク情報を取得して前記非接続無線局に対して通知する手段を備え、さらに前記接続無線局および前記非接続無線局は当該ネットワーク情報を管理する管理テーブルを備え、
前記無線端末は、他の無線ネットワークの無線端末に送信するパケットを送信する場合には、前記管理テーブルを参照してアドレス設定を行い、自無線ネットワークの接続無線局および宛先無線ネットワークの接続無線局を介して当該無線端末にパケット送信する手段を備えた
ことを特徴とする無線パケット通信システム。
【請求項４】
請求項３に記載の無線パケット通信システムにおいて、
前記各無線ネットワークの前記各無線端末は、前記第１のアドレスを自無線ネットワーク内にブロードキャストする手段を備え、
前記接続無線局は、各無線端末の第１のアドレスを受信し、自無線ネットワークを構成する前記接続無線局の第１のアドレスおよび第２のアドレスと、前記非接続無線局の第１のアドレスを含むネットワーク情報を前記管理装置に送信する手段を備え、
前記管理装置は、前記各無線ネットワークの前記接続無線局からそれぞれ送信されたネットワーク情報に基づいて前記管理テーブルを作成する手段を備えた
ことを特徴とする無線パケット通信システム。
【請求項５】
請求項３に記載の無線パケット通信システムにおいて、
前記各無線ネットワークの前記各無線端末は、前記第１のアドレスを自無線ネットワーク内にブロードキャストし、
前記接続無線局は、各無線端末の第１のアドレスを受信し、自無線ネットワークを構成する前記接続無線局の第１のアドレスおよび第２のアドレスと、前記非接続無線局の第１のアドレスを含むネットワーク情報を前記管理装置に送信し、
前記管理装置は、前記各無線ネットワークの前記接続無線局からそれぞれ送信されたネットワーク情報に基づいて管理テーブルを作成し、
前記接続無線局は、前記管理装置から通知される他の無線ネットワークのネットワーク情報を取得して前記非接続無線局に対して通知し、さらに前記接続無線局および前記非接続無線局は当該ネットワーク情報を管理する管理テーブルを作成する
ことを特徴とする無線パケット通信システムの情報共有方法。
【請求項６】
請求項５に記載の無線パケット通信システムの情報共有方法において、
前記接続無線局は、各無線端末の第１のアドレスを受信し、自無線ネットワークを構成する前記接続無線局の第１のアドレスおよび第２のアドレスと、前記非接続無線局の第１のアドレスを含むネットワーク情報を前記管理装置に周期的に送信し、
前記管理装置は、前記各無線ネットワークの前記接続無線局からそれぞれ送信されたネットワーク情報に基づいて前記管理テーブルを作成および周期的に更新する
ことを特徴とする無線パケット通信システムの情報共有方法。
【請求項７】
請求項６に記載の無線パケット通信システムの情報共有方法において、
前記各無線ネットワークの前記各無線端末は、前記第１のアドレスを自無線ネットワーク内に周期的にブロードキャストし、
前記接続無線局は、前記管理装置から通知される他の無線ネットワークのネットワーク情報を取得して前記非接続無線局に対して通知し、さらに前記接続無線局および前記非接続無線局は当該ネットワーク情報を管理する管理テーブルを作成および周期的に更新する
ことを特徴とする無線パケット通信システムの情報共有方法。
【発明の詳細な説明】
【技術分野】
【０００１】
本発明は、基幹ネットワーク（インターネット）に複数の無線ネットワークが接続されたネットワークシステムにおいて、各無線ネットワーク内の無線端末が基幹ネットワークを介して相互（Peer-to-Peer) に無線パケットの送受信を行う無線パケット通信方法および無線パケット通信システムならびに情報共有方法に関する。
【背景技術】
【０００２】
無線パケット通信は、無線ＬＡＮをはじめとする様々なシステムで採用されている通信形態である。無線ＬＡＮの規格については、IEEE802.11委員会で標準化が進められ、IEEE802.11規格（非特許文献１）として制定されている。この規格では、２つの通信モード（インフラストラクチャモード、アドホックモード）が規定されている。
【０００３】
インフラストラクチャモードは、アクセスポイント（ＡＰ）と、その電波到達範囲（無線セル）内に存在する無線端末で構成され、ＡＰとその配下の無線端末が無線媒体を介して接続関係を形成する無線ネットワークで使用される通信モードである。ＡＰは、基幹ネットワークに接続されており、接続関係を確立している配下の無線端末が基幹ネットワークと通信する際に、基幹ネットワークと無線端末間のパケットの中継を行う。
【０００４】
アドホックモードは、ＡＰを必要とせず、無線端末のみにより構成されるクローズドネットワークで使用される通信モードである。無線端末は、一般に無線パケットを中継する機能をもたず、直接互いに無線パケットをやりとりして通信を行う。
【０００５】
図７は、本発明で想定しているネットワークシステムの構成例を示す。図において、基幹ネットワーク（インターネット）３１には、ゲートウェイ３２−１，３２−２を介してＡＰ１１，１２が接続される。無線ネットワーク１０には、インフラストラクチャモードおよびアドホックモードに対応する無線端末１２と、アドホックモードのみに対応する無線端末１３−１，１３−２が存在する。無線端末１２はインフラストラクチャモードでＡＰ１１と通信するとともに、アドホックモードで無線端末１３−１，１３−２と相互に通信する。また、無線端末１２は、ＡＰ１１を介して無線端末１３−１，１３−２と基幹ネットワーク３１との通信を中継する機能を有し、「接続無線局」という。一方、アドホックモードのみに対応する無線端末１３−１，１３−２はＡＰ１１と接続できず、「非接続無線局」という。無線ネットワーク２０においても同様であり、無線端末（接続無線局）２２および無線端末（非接続無線局）２３−１，２３−２は、無線ネットワーク１０の無線端末（接続無線局）１２および無線端末（非接続無線局）１３−１，１３−２にそれぞれ対応する。
【非特許文献１】IEEE802.11, "Wireless LAN Medium Access Control (MAC) and Physical (PHY) Layer Specifications", August 1999
【発明の開示】
【発明が解決しようとする課題】
【０００６】
図７に示すようなネットワークシステムにおいて、無線端末が他の無線ネットワーク内の無線端末と通信する場合、その上位にある基幹ネットワーク３１を介して無線パケットの送受信が行われる。このとき、基幹ネットワーク３１に接続される管理装置３３が全無線ネットワークの端末情報（無線端末名およびアドレス）を管理し、その元で通信制御が行われる。例えば、無線ネットワーク１０の無線端末１２，１３−１，１３−２が無線ネットワーク２０の無線端末２２，２３−１，２３−２と通信を行うときは、通信を開始する無線端末が管理装置３３にアクセスし、通信相手の端末情報を取得した上で無線パケットのアドレスを設定し、送信する手順になっている。このように、従来のネットワークシステムでは、各無線端末が個別に管理装置３３にアクセスするので、無線ネットワーク内のトラヒックが増加し、かつ管理装置３３の負荷も大きくなる問題があった。
【０００７】
本発明は、無線ネットワークごとに定められた端末情報を無線ネットワーク間で共有し、さらに無線ネットワークをまたがる無線端末間の通信を効率よく行うことができる無線パケット通信方法および無線パケット通信システムならびに情報共有方法を提供することを目的とする。
【課題を解決するための手段】
【０００８】
第１の発明は、基幹ネットワークと、基幹ネットワークに接続される複数の無線ネットワークからなり、無線ネットワークは複数の無線端末が無線通信により接続され、かつ所定の無線端末がアクセスポイントを介して基幹ネットワークと接続される構成であり、アクセスポイントおよび無線ネットワーク内の他の無線端末と接続可能な無線端末を「接続無線局」とし、無線ネットワーク内の他の無線端末とのみ接続可能な無線端末を「非接続無線局」とし、基幹ネットワークにシステムを管理する管理装置が接続された無線通信システムにおける無線パケット通信方法において、非接続無線局には所属する無線ネットワーク内通信用の第１のアドレスが設定され、接続無線局には所属する無線ネットワーク内通信用の第１のアドレスおよび無線ネットワーク外通信用の第２のアドレスが設定され、管理装置は、各無線ネットワークを構成する接続無線局および非接続無線局の各アドレスを含むネットワーク情報を管理テーブルで管理し、各無線ネットワークの接続無線局に対して、当該管理テーブルから他の無線ネットワークのネットワーク情報を通知し、各無線ネットワークの接続無線局は、管理装置から通知される他の無線ネットワークのネットワーク情報を取得して非接続無線局に対して通知するとともに、接続無線局および非接続無線局は当該ネットワーク情報を管理テーブルで管理する。そして、無線端末が他の無線ネットワークの無線端末に送信するパケットを生成する際に管理テーブルを参照し、宛先無線ネットワークの接続無線局の第２のアドレスを宛先アドレスとして設定し、宛先無線端末の第１のアドレスをデータ本体にカプセル化し、自無線ネットワークの接続無線局を介して送信し、パケットを受信した自無線ネットワークの接続無線局または自らがパケットを送信する接続無線局は、宛先無線ネットワークの接続無線局の第２のアドレスを宛先アドレスとし、宛先無線端末の第１のアドレスおよび送信元無線端末の第１のアドレスをデータ本体にカプセル化し、宛先無線ネットワークの接続無線局へ転送し、宛先無線ネットワークの接続無線局は、受信したパケットのデータ本体にカプセル化された宛先無線端末の第１のアドレスを宛先アドレスとし、送信元無線端末の第１のアドレスをデータ本体にカプセル化し、宛先無線端末へ転送する。
【０００９】
ここで、各無線端末は、第１のアドレスを自無線ネットワーク内にブロードキャストし、各無線端末の第１のアドレスを受信した接続無線局は、自無線ネットワークを構成する接続無線局の第１のアドレスおよび第２のアドレスと、非接続無線局の第１のアドレスを含むネットワーク情報を管理装置に送信し、管理装置は、各無線ネットワークの接続無線局からそれぞれ送信されたネットワーク情報に基づいて管理テーブルを作成するようにしてもよい。
【００１０】
第２の発明は、基幹ネットワークと、基幹ネットワークに接続される複数の無線ネットワークからなり、無線ネットワークは複数の無線端末が無線通信により接続され、かつ所定の無線端末がアクセスポイントを介して基幹ネットワークと接続される構成であり、アクセスポイントおよび無線ネットワーク内の他の無線端末と接続可能な無線端末を「接続無線局」とし、無線ネットワーク内の他の無線端末とのみ接続可能な無線端末を「非接続無線局」とし、基幹ネットワークにシステムを管理する管理装置が接続された無線パケット通信システムにおいて、非接続無線局には所属する無線ネットワーク内通信用の第１のアドレスが設定され、接続無線局には所属する無線ネットワーク内通信用の第１のアドレスおよび無線ネットワーク外通信用の第２のアドレスが設定され、管理装置は、各無線ネットワークを構成する接続無線局および非接続無線局の各アドレスを含むネットワーク情報を管理する管理テーブルを備え、各無線ネットワークの接続無線局に対して、当該管理テーブルから他の無線ネットワークのネットワーク情報を通知する手段を備え、各無線ネットワークの接続無線局は、管理装置から通知される他の無線ネットワークのネットワーク情報を取得して非接続無線局に対して通知する手段を備え、さらに接続無線局および非接続無線局は当該ネットワーク情報を管理する管理テーブルを備え、無線端末は、他の無線ネットワークの無線端末に送信するパケットを送信する場合には、管理テーブルを参照してアドレス設定を行い、自無線ネットワークの接続無線局および宛先無線ネットワークの接続無線局を介して当該無線端末にパケット送信する手段を備える。
【００１１】
ここで、各無線ネットワークの各無線端末は、第１のアドレスを自無線ネットワーク内にブロードキャストする手段を備え、接続無線局は、各無線端末の第１のアドレスを受信し、自無線ネットワークを構成する接続無線局の第１のアドレスおよび第２のアドレスと、非接続無線局の第１のアドレスを含むネットワーク情報を管理装置に送信する手段を備え、管理装置は、各無線ネットワークの接続無線局からそれぞれ送信されたネットワーク情報に基づいて管理テーブルを作成する手段を備えるようにしてもよい。
【００１２】
第３の発明は、第２の発明の無線パケット通信システムの情報共有方法において、各無線ネットワークの各無線端末は、第１のアドレスを自無線ネットワーク内にブロードキャストし、接続無線局は、各無線端末の第１のアドレスを受信し、自無線ネットワークを構成する接続無線局の第１のアドレスおよび第２のアドレスと、非接続無線局の第１のアドレスを含むネットワーク情報を管理装置に送信し、管理装置は、各無線ネットワークの接続無線局からそれぞれ送信されたネットワーク情報に基づいて管理テーブルを作成し、接続無線局は、管理装置から通知される他の無線ネットワークのネットワーク情報を取得して非接続無線局に対して通知し、さらに接続無線局および非接続無線局は当該ネットワーク情報を管理する管理テーブルを作成する。
【００１３】
また、第２の発明の無線パケット通信システムの情報共有方法において、接続無線局は、各無線端末の第１のアドレスを受信し、自無線ネットワークを構成する接続無線局の第１のアドレスおよび第２のアドレスと、非接続無線局の第１のアドレスを含むネットワーク情報を管理装置に周期的に送信し、管理装置は、各無線ネットワークの接続無線局からそれぞれ送信されたネットワーク情報に基づいて管理テーブルを作成および周期的に更新する。
【００１４】
また、第２の発明の無線パケット通信システムの情報共有方法において、各無線ネットワークの各無線端末は、第１のアドレスを自無線ネットワーク内に周期的にブロードキャストし、接続無線局は、管理装置から通知される他の無線ネットワークのネットワーク情報を取得して非接続無線局に対して通知し、さらに接続無線局および非接続無線局は当該ネットワーク情報を管理する管理テーブルを作成および周期的に更新する。
【発明の効果】
【００１５】
本発明は、複数の無線ネットワークの各無線端末のアドレスを含むネットワーク情報を基幹ネットワークの管理装置に登録し、その情報を各無線ネットワークの接続無線局に通知し、さらに接続無線局から非接続無線局にブロードキャストし、管理テーブルで管理することにより、無線ネットワーク全体で管理装置の情報を共有することができる。また、接続無線局が所属する無線ネットワークの各無線端末のアドレスを含むネットワーク情報を周期的に管理装置に送信することにより、管理装置の情報を更新するとともに、各無線ネットワークの無線端末の管理テーブルの情報も更新することができる。
【００１６】
また、各無線端末が他の無線ネットワークのネットワーク情報を保持し、その情報から他の無線ネットワークの無線端末（接続無線局、非接続無線局）のアドレスを指定してパケットを生成することにより、管理装置を介することなく他の無線ネットワークの無線端末とのパケット通信が可能となる。
【発明を実施するための最良の形態】
【００１７】
図１は、本発明の無線パケット通信方法の処理手順を示す。ここでは、図７に示すネットワークシステムに基づいて説明する。
【００１８】
各無線ネットワーク１０，２０は、それぞれ無線ネットワーク名「ＡＢＣ」、「ＸＹＺ」を有し、それぞれ独自に無線端末名およびアドレスを規定している。各無線端末の無線端末名およびアドレスは、無線ネットワーク１０の無線端末１２が「ＡＡＡ」および「X.X.X.1 」、無線端末１３−１が「ＢＢＢ」および「X.X.X.2 」、無線端末１３−２が「ＣＣＣ」および「X.X.X.3 」である。また、無線ネットワーク２０の無線端末２２が「ＤＤＤ」および「X.X.Y.1 」、無線端末２３−１が「ＥＥＥ」および「X.X.Y.2 」、無線端末２３−２が「ＦＦＦ」および「X.X.Y.3 」である。さらに、接続無線局である無線端末１２，２２は、それぞれインターネット上のアドレス（グローバルアドレス）として「X.A.B.C 」、「X.D.E.F 」をもっている。また、基幹ネットワーク３１に接続される管理装置３３のアドレスを「A.B.C.D 」とする。
【００１９】
まず、無線ネットワーク１０において、各無線端末が自身の無線端末名およびアドレスを相互に通知するために、アドホックモードで通知パケット２(1),２(2),２(3) をブロードキャストする。
【００２０】
ここで、通知パケット２(1),２(2),２(3) の構成を図２(1),(2),(3) に示す。図２(1) は、無線端末１２が無線端末１３−１，１３−２にブロードキャストする通知パケット２(1) であり、制御フィールドに所定のコード（1100）、宛先アドレスとしてブロードキャストアドレス(X.X.X.X) 、送信元アドレスとして自身のアドレス(X.X.X.1) が設定され、データ本体に無線端末名(AAA) が設定される。図２(2) は、無線端末１３−１が無線端末１２，１３−２にブロードキャストする通知パケット２(2) であり、図２(3) は、無線端末１３−２が無線端末１２，１３−１にブロードキャストする通知パケット２(3) であり、それぞれ同様の構成である。また、無線ネットワーク２０においても同様である。
【００２１】
このように、各無線ネットワーク１０，２０内でそれぞれ通知パケットをブロードキャストすることにより、互いの無線端末名およびアドレスを認識し、各無線端末は各無線ネットワークごとにそれぞれ共通の無線ネットワーク／無線端末テーブル（Ｔ１，Ｔ２）を作成する。図２(4) は、無線ネットワーク１０の無線端末１２，１３−１，１３−２に作成される無線ネットワーク／無線端末テーブル（Ｔ１）の設定例を示す。無線ネットワーク２０の無線端末２２，２３−１，２３−２に作成される無線ネットワーク／無線端末テーブル（Ｔ２）についても同様である。
【００２２】
なお、無線ネットワーク／無線端末テーブル（Ｔ１，Ｔ２）は、無線ネットワーク１０，２０の接続無線局である無線端末１２，２２のみが備えてもよい。
【００２３】
次に、無線ネットワーク１０の無線端末１２は、無線ネットワーク／無線端末テーブル（Ｔ１）の設定に基づいて、ネットワーク情報（無線ネットワーク名、接続無線局のインターネット上のアドレス、無線端末名、無線端末のアドレス）を記載した管理装置登録要求パケット３(1) を生成し、管理装置３３を宛先として送信する。また、無線ネットワーク２０の無線端末２２は、同様の管理装置登録要求パケット３(2) を生成し、管理装置３３を宛先として送信する。
【００２４】
ここで、管理装置登録要求パケット３(1),３(2) の構成を図３に示す。図３(1) は、無線ネットワーク１０の無線端末１２が管理装置３３に送信する管理装置登録要求パケット３(1) であり、制御フィールドに所定のコード（1001）、宛先アドレスとして管理装置３３のアドレス(A.B.C.D) 、送信元アドレスとして自身のアドレス(X.A.B.C) が設定され、データ本体に無線ネットワーク１０の無線ネットワーク名(ABC) 、接続無線局である無線端末１２のインターネット上のアドレス(X.A.B.C) 、無線端末１２，１３−１，１３−２の無線端末名およびアドレスが順次設定される。図３(2) は、無線端末２２が管理装置３３に送信する管理装置登録要求パケット３(2) であり、同様の構成である。
【００２５】
このように、各無線ネットワーク１０，２０の無線端末１２，２２から管理装置３３に対して管理装置登録要求パケット３(1),３(2) を送信することにより、管理装置３３では各無線ネットワーク１０，２０のネットワーク情報を取得し、無線ネットワーク／無線端末テーブル（Ｔ３）を作成する。図３(3) は、管理装置３３に作成される無線ネットワーク／無線端末テーブル（Ｔ３）の設定例を示す。
【００２６】
次に、管理装置３３は、無線ネットワーク／無線端末テーブル（Ｔ３）の設定に基づいて、管理装置登録要求パケット３(1),３(2) に対する管理装置登録応答パケット４(1),４(2) を生成し、各無線ネットワーク１０，２０の無線端末１２，２２を宛先としてそれぞれ送信する。
【００２７】
ここで、管理装置登録応答パケット４(1),４(2) の構成を図４に示す。図４(1) は、管理装置３３が無線ネットワーク１０の無線端末１２に送信する管理装置登録応答パケット４(1) であり、制御フィールドに所定のコード（1010）、宛先アドレスとして無線端末１２のアドレス(X.A.B.C) 、送信元アドレスとして管理装置３３のアドレス(A.B.C.D) が設定される。データ本体には、無線ネットワーク／無線端末テーブル（Ｔ３）に設定されている無線ネットワーク１０以外のネットワーク情報として、無線ネットワーク２０の無線ネットワーク名(XYZ) 、接続無線局である無線端末２２のインターネット上のアドレス(X.D.E.F) 、無線端末２２，２３−１，２３−２の無線端末名およびアドレスが順次設定される。図４(2) は、管理装置３３が無線ネットワーク２０の無線端末２２に送信する管理装置登録応答パケット４(2) であり、同様の構成である。
【００２８】
なお、ここでは無線ネットワークの数が２であるので、各無線ネットワーク１０，２０の無線端末１２，２２には、それぞれ相手側のネットワーク情報が管理装置３３から通知されるが、無線ネットワークの数が３以上の場合には、管理装置登録応答パケットのデータ本体に、他の無線ネットワークの各無線ネットワーク名を起点として複数のネットワーク情報が記載される。
【００２９】
このように、管理装置３３から各無線ネットワーク１０，２０の無線端末１２，２２に対して管理装置登録応答パケット４(1),４(2) を送信することにより、無線端末１２，２２では各無線ネットワーク１０，２０のネットワーク情報を取得し、無線ネットワーク／無線端末テーブル（Ｔ１，Ｔ２）に加えるようにして無線ネットワーク／無線端末テーブル（Ｔ４）を作成する。図４(3) は、無線端末１２，２２に作成される無線ネットワーク／無線端末テーブル（Ｔ４）の設定例を示す。ここに示すように、管理装置３３の無線ネットワーク／無線端末テーブル（Ｔ３）と、無線端末１２，２２の無線ネットワーク／無線端末テーブル（Ｔ４）は、同じ内容となってネットワーク情報が共有されることになる。
【００３０】
次に、無線ネットワーク１０，２０の無線端末１２，２２は、受信した管理装置登録応答パケット４(1),４(2) に対応する管理装置登録応答パケット５(1),５(2) を各無線ネットワーク１０，２０内にそれぞれブロードキャストする。
【００３１】
ここで、管理装置登録応答パケット５(1),５(2) の構成を図５に示す。図５(1) は、無線ネットワーク１０の無線端末１２が無線端末１３−１，１３−２にブロードキャストする管理装置登録応答パケット５(1) であり、制御フィールドに所定のコード（1100）、宛先アドレスとしてブロードキャストアドレス(X.X.X.X) 、送信元アドレスとして端局装置１２のアドレス(X.X.X.1) が設定される。データ本体には、無線ネットワーク／無線端末テーブル（Ｔ３，Ｔ４）に設定されている無線ネットワーク１０以外のネットワーク情報として、無線ネットワーク２０の無線ネットワーク名(XYZ) 、接続無線局である無線端末２２のインターネット上のアドレス(X.D.E.F) 、無線端末２２，２３−１，２３−２の無線端末名およびアドレスが順次設定される。無線ネットワーク２０において、無線端末２２から無線端末２３−１，２３−２にブロードキャストする管理装置登録応答パケット５(2) についても同様の構成である。
【００３２】
このように、各無線ネットワーク１０，２０に対して管理装置登録応答パケットをブロードキャストすることにより、全ての無線端末がネットワーク情報を取得し、無線ネットワーク／無線端末テーブル（Ｔ１，Ｔ２）に加えるようにして無線ネットワーク／無線端末テーブル（Ｔ５）を作成する。図５(3) は、無線ネットワーク１０の無線端末１３−１，１３−２に作成される無線ネットワーク／無線端末テーブル（Ｔ５）の設定例を示す。無線ネットワーク２０の無線端末２３−１，２３−２においても同様である。ここに示すように、無線ネットワーク／無線端末テーブル（Ｔ５）は、無線ネットワーク／無線端末テーブル（Ｔ３，Ｔ４）と同じ内容となり、ネットワーク情報が共有されることになる。
【００３３】
以上により、各無線ネットワーク１０，２０の全ての無線端末および管理装置３３で、同じ内容の無線ネットワーク／無線端末テーブル（Ｔ３，Ｔ４，Ｔ５）が作成されが、各テーブルを作成するための情報転送を周期的に行い、各テーブルの内容を周期的に更新するようにしてもよい。
【００３４】
次に、異なる無線ネットワークの無線端末間のパケット転送について説明する。図１には、無線ネットワーク１０の無線端末１３−１から無線ネットワーク２０の無線端末２３−２へパケットを送信する例を示し、転送過程のパケット６(1),６(2),６(3) の構成を図６に示す。
【００３５】
図６(1) は、無線端末(BBB) １３−１から無線端末(FFF) ２３−２を宛先として無線端末(AAA) １２に送信するパケット６(1) である。無線端末１３−１は、無線ネットワーク／無線端末テーブル（Ｔ５）を参照し、宛先の無線端末(FFF) ２３−２に対応する無線ネットワーク名(XYZ) 、無線ネットワーク(XYZ) の入り口となるアドレス(X.D.E.F) 、無線端末(FFF) のアドレス(X.X.Y.3) を取得する。そして、制御フィールドに所定のコード（0101）、宛先アドレスとして無線ネットワーク(XYZ) の入り口となるアドレス(X.D.E.F) 、送信元アドレスとして無線端末１３−１のアドレス(X.X.X.2) を設定する。データ本体には、本来の宛先である無線端末２３−２のアドレス(X.X.Y.3) がカプセル化される。このパケットは、無線端末１３−１から無線ネットワーク１０の接続無線局である無線端末１２にアドホックモードで送信される。
【００３６】
図６(2) は、無線端末(AAA) １２から無線端末(FFF) ２３−２を宛先として無線端末(DDD) ２２に転送するパケット６(2) である。無線端末１２は、制御フィールドに所定のコード（0110）、宛先アドレスを変更せずアドレス(X.D.E.F) 、送信元アドレスとして無線端末１２のインターネット上のアドレス(X.A.B.C) を設定する。データ本体には、本来の宛先である無線端末２３−２のアドレス(X.X.Y.3) と、本来の送信元である無線端末１３−１のアドレス(X.X.X.2) がカプセル化される。このパケットは、無線端末１２からＡＰ１１、インターネット１、ＡＰ２１を介して無線ネットワーク２０の接続無線局である無線端末２２に転送される。
【００３７】
図６(3) は、無線端末(DDD) ２２から無線端末(FFF) ２３−２を宛先として転送するパケット６(3) である。無線端末２２は、制御フィールドに所定のコード（0111）、宛先アドレスとしてパケット６(2) のデータ本体にカプセル化されていた本来の宛先アドレスである無線端末２３−２のアドレス(X.X.Y.3) 、送信元アドレスとして無線端末２２のアドレス(X.X.Y.1) を設定する。データ本体には、本来の送信元である無線端末１３−１のアドレス(X.X.X.2) がカプセル化される。このパケットは、無線端末２２から無線端末２３−２にアドホックモードで転送される。
【００３８】
なお、上述したように無線ネットワーク１０，２０の接続無線局である無線端末１２，２２のみが無線ネットワーク／無線端末テーブル（Ｔ１，Ｔ２）を備える場合には、非接続無線局である無線端末１３−１，１３−２，２３−１，２３−２は、無線端末１２、２２からブロードキャストされた管理装置登録応答パケットにある他の無線ネットワークのネットワーク情報のみに対応する無線ネットワーク／無線端末テーブルのみを作成することになる。この場合でも、各無線端末は他の無線ネットワークのネットワーク情報をテーブルに持っているので、上記の異なる無線ネットワークの無線端末間のパケット転送を行うことができる。
【図面の簡単な説明】
【００３９】
【図１】本発明の無線パケット通信方法の処理手順を示す図。
【図２】通知パケット２の構成例を示す図。
【図３】管理装置登録要求パケット３の構成例を示す図。
【図４】管理装置登録応答パケット４の構成例を示す図。
【図５】管理装置登録応答パケット５の構成例を示す図。
【図６】異なる無線ネットワークの無線端末間で転送されるパケットの構成例を示す図。
【図７】ネットワークシステムの構成例を示す図。
【符号の説明】
【００４０】
１０，２０  無線ネットワーク
１１，２１  アクセスポイント（ＡＰ）
１２，２２  無線端末（接続無線局）
１３，２３  無線端末（非接続無線局）
３１  基幹ネットワーク
３２  ゲートウェイ
３３  管理装置
【図１】
2007180825.tif 000003
【図２】
2007180825.tif 000004
【図３】
2007180825.tif 000005
【図４】
2007180825.tif 000006
【図５】
2007180825.tif 000007
【図６】
2007180825.tif 000008
【図７】
2007180825.tif 000009